【事件の表示】
　特許第３１４３０４８号「インクジェット記録装置」の請求項１および２に係る特許に対する特許異議の申立てについて、次のとおり決定する。
【結　論】
　訂正を認める。
　特許第３１４３０４８号の請求項１および２に係る特許を維持する。
【理　由】
 １．手続の経緯
　出願　　　　　　　　　平成７年９月８日
　拒絶理由通知　　　　　平成１２年８月８日（発送）
　手続補正　　　　　　　平成１２年１０月１０日
　登録　　　　　　　　　平成１２年１２月２２日
　特許掲載公報発行　　　平成１３年３月７日
　特許異議の申し立て　　平成１３年９月７日
　取消理由通知　　　　　平成１４年１月４日（発送）
　訂正請求　　　　　　　平成１４年３月５日
　特許異議意見書提出　　平成１４年３月５日
　審尋（申立人宛）　　　平成１４年５月１７日（発送）
　　　
２．訂正の適否についての判断
（１）訂正の内容
ア．訂正事項ａ
　特許請求の範囲の記載について、
「【請求項１】染料インクと顔料インクの２種類のインクを使用するインクジェット記録装置において、前記２種類のインクの種類に応じてインクジェットヘッドの駆動電圧、駆動周波数、画像処理モードを変更することを特徴とするインクジェット記録装置。
【請求項２】前記画像処理モードにおける画像処理条件の変更は、顔料インクの使用時に記録用紙の種類に応じて行うようになっていることを特徴とする請求項１に記載のインクジェット記録装置。」
とあるのを、
「【請求項１】染料インクと顔料インクの２種類のインクを使用
し、この使用するインクの種類に応じてインクジェットの駆動電圧、駆動周波数、画像処理モードを変更するようにした
駆動電圧および前記駆動周波数を染料インクの使用時に顔料インクの使用時よりそれぞれ高く設定した
【請求項２】前記画像処理モードにおける画像処理条件の変更は、顔料インクの使用時に
使用する
この記録用紙に適した画像処理モードとなるように変更する
と訂正する（訂正箇所にアンダーラインを付した。以下同じ。）。
イ．訂正事項ｂ
　発明の詳細な説明における
「【課題を解決するための手段】前述した目的を達成するため・・・できる。」（段落【００２６】）
を、
「【課題を解決するための手段】
  前述した目的を達成するため請求項１に記載のインクジェット記録装置の特徴は、
インクジェットの駆動電圧および駆動周波数を染料インクの使用時に顔料インクの使用時よりそれぞれ高く設定した
と訂正する。
ウ．訂正事項ｃ
　発明の詳細な説明における
「また、請求項２に記載のインクジェット記録装置の特徴は、・・・ができる。」（段落【００２７】）
を、
「また、請求項２に記載のインクジェット記録装置の特徴は、前記画像処理モードにおける画像処理条件の変更は、顔料インクの使用時に
使用する
この記録用紙に適した画像処理モードとなるように変更すること
と訂正する。
（２）訂正の目的の適否、新規事項の有無及び拡張・変更の存否
　上記訂正事項ａに関連する記載として、願書に添付した明細書（以下、特許明細書という。）の発明の詳細な説明には、
「表３によれば、染料タイプのインクを使用してインクジェットヘッド５の駆動条件を駆動電圧８０Ｖ、駆動周波数３．０ＫＨｚとして標準の画像処理モードにより記録を行ったところ、インクジェットヘッド５のノズルから吐出されたインクは直進して安定的に用紙に着弾し、ファインタイプ、バックプリントタイプ、布といったどの種の用紙にも良好な品質の記録を行うことができた。一方、顔料タイプのインクを使用してインクジェットヘッド５の駆動条件を駆動電圧７０Ｖ、駆動周波数２．７ＫＨｚとしてファインタイプの用紙に前記専用画像処理モードＡにより記録を行ったところ、良好な品質の記録を行うことができた。また、顔料タイプのインクを使用してファインタイプの用紙に対するのと同様の駆動条件でインクジェットヘッド５を駆動し、バックプリントタイプの用紙には前記専用画像処理モードＢにより、さらに布には前記専用画像処理モードＣによりそれぞれ記録を行ったところ、いずれの場合も良好な品質の記録を行うことができた。」（段落【００５７】〜【００５８】）
および、
インクジェット記録装置が選択しうる、インクの種類（染料タイプか顔料タイプ）、用紙の種類（ファインタイプ、バックプリントタイプおよび布のいずれか）、ヘッドの駆動電圧（８０Ｖか７０Ｖ）、ヘッドの駆動周波数（３．０ＫＨｚか２．７ＫＨｚ）および画像処理モード（標準、専用画像処理Ａ、専用画像処理Ｂおよび専用画像処理Ｃのいずれか）の５つの項目を組合わせたものうちの特定の６種類の場合に、その記録結果が良好であったことを示す第３表（段落【００５７】）
が記載されている。
　そうすると、上記訂正事項ａは、特許明細書に記載された事項の範囲内において、駆動電圧および前記駆動周波数の変更態様を、染料インクの使用時に顔料インクの使用時よりそれぞれ高く設定したと限定し（請求項１）、また、画像処理モードにおける画像処理条件の変更は、顔料インクの使用時に記録紙の種類に応じて行う際の記録紙が使用するものであることを明確にすると共に変更を行う目的がこの記録用紙に適した画像処理モードとなることであることを明確にし（請求項２）たものと認められる。
　したがって、上記訂正事項ａは、特許請求の範囲の減縮及び不明瞭な記載の釈明に該当するものであり、新規事項の追加に該当しない。
  また、上記訂正事項ｂおよびｃは、上記訂正事項ａと整合を図るもので、明りょうでない記載の釈明に該当するものであり、新規事項の追加に該当しない。
　そして、上記訂正事項ａないしｂはいずれも実質上特許請求の範囲を拡張し、または変更するものでない。
（３）むすび
　以上のとおりであるから、上記訂正は、平成１１年改正前の特許法１２０条の４第２項および第３項で準用する同法第１２６条第２項から第４項までの規定に適合するので、当該訂正を認める。
　　
３．特許異議申し立てについての判断
（１）申立の理由の概要
　申立人岩永真一郎は、以下の主張をしている。
　ア．主張Ａ
　平成１２年１０月１０付手続補正書により補正された特許請求の範囲の請求項１の「インクの種類（染料インクと顔料インクの２種類）に応じてインクジェットヘッドの駆動電圧、駆動周波数、画像処理モードを変更する」という事項は、出願当初の明細書又は図面に記載した事項の範囲内のものでない旨の主張。　
　イ．主張Ｂ
　特許請求の範囲の請求項１に記載された「インクの種類（染料インクと顔料インクの２種類）に応じてインクジェットヘッドの駆動電圧、駆動周波数、画像処理モードを変更する」事項により特定される発明は、発明の詳細な説明に記載したものでない旨の主張。
　ウ．主張Ｃ
　本件請求項１および２に係る発明は、甲第１号証（特開平３−６７６５７号公報）、甲第２号証（特開平６−３４４５６４号公報）、甲第３号証（特開平１−１３５８８０号公報）、甲第４号証（特開平７−１１２５４２号公報）、甲第５号証（特開平７−１１７２２３号公報）、甲第６号証（特開平６−１７１２０８号公報）および甲第７号証（特開平１−２１５５４７号公報）に各記載された発明から、当業者が容易に発明をすることができたものである旨の主張。
　　　
（２）本件発明および本件明細書
　本件特許第３１４３０４８号の願書に添付された明細書（以下、「本件明細書」という。）は、上記訂正が認められるから、上記訂正明細書であり、その請求項１および２に係る発明（以下、「本件発明１および２」という。）は、上記本件明細書の特許請求の範囲の請求項１および２に記載された事項により特定されるとおりのものと認める（上記訂正事項ａを参照。）。
　　　　
（３）判断 
　ア．主張ＡおよびＢについて、
　本件明細書の発明の実施形態に関する記載は、上記平成１２年１０月１０付手続補正書により補正されておらず、出願当初のそれと同じであるから、主張ＡおよびＢが妥当であるか否かは、いずれも、特許請求の範囲の請求項１の「インクの種類（染料インクと顔料インクの２種類）に応じてインクジェットヘッドの駆動電圧、駆動周波数、画像処理モードを変更する」という事項が、出願当初の明細書または図面における発明の実施形態に関する記載から当業者にとって自明であるか否かの問題に帰着する。
　そこで、この問題について検討するに、
　出願当初の明細書には、インクジェットヘッドの駆動電圧、駆動周波数、画像処理モードの変更に関連する事項として、以下の発明の実施形態に関する事項が記載されている。
ａ．「ＣＰＵは、検出されたインクや用紙の種類のデータを用いてＣＰＵボード２３のＲＯＭに書込まれているデータテーブルを参照して、インクの種類に適合したインクジェットヘッド５の駆動条件たる駆動電圧と駆動周波数を設定するとともに、用紙の種類に適合した画像処理モードを設定する。」（段落【００４３】）
ｂ．「表３によれば、染料タイプのインクを使用してインクジェットヘッド５の駆動条件を駆動電圧８０Ｖ、駆動周波数３．０ＫＨｚとして標準の画像処理モードにより記録を行ったところ、インクジェットヘッド５のノズルから吐出されたインクは直進して安定的に用紙に着弾し、ファインタイプ、バックプリントタイプ、布といったどの種の用紙にも良好な品質の記録を行うことができた。一方、顔料タイプのインクを使用してインクジェットヘッド５の駆動条件を駆動電圧７０Ｖ、駆動周波数２．７ＫＨｚとしてファインタイプの用紙に前記専用画像処理モードＡにより記録を行ったところ、良好な品質の記録を行うことができた。また、顔料タイプのインクを使用してファインタイプの用紙に対するのと同様の駆動条件でインクジェットヘッド５を駆動し、バックプリントタイプの用紙には前記専用画像処理モードＢにより、さらに布には前記専用画像処理モードＣによりそれぞれ記録を行ったところ、いずれの場合も良好な品質の記録を行うことができた。」（段落【００５７】〜【００５８】）
ｃ．インクジェット記録装置が選択しうる、インクの種類（染料タイプか顔料タイプ）、用紙の種類（ファインタイプ、バックプリントタイプおよび布のいずれか）、ヘッドの駆動電圧（８０Ｖか７０Ｖ）、ヘッドの駆動周波数（３．０ＫＨｚか２．７ＫＨｚ）および画像処理モード（標準、専用画像処理Ａ、専用画像処理Ｂおよび専用画像処理Ｃのいずれか）の５つの項目を組合わせたものうちの特定の６種類の場合に、その記録結果が良好であったことを示す第３表（段落【００５７】）
　これらの記載事項から、インクジェット記録において、インクの種類（染料インクと顔料インクの２種類）に応じて、ヘッド駆動電圧および駆動周波数を変更することおよび用紙の種類に応じて、画像処理モードを変更することを、それぞれ別々に行うことばかりでなく、それらを組み合わせ行うこと、すなわち、少なくとも、インクの種類（染料インクと顔料インクの２種類）に応じてヘッドの駆動電圧、駆動周波数、画像処理モードを変更することが明示されていたといえる。   
  したがって、特許請求の範囲の請求項１に記載された「インクの種類（染料インクと顔料インクの２種類）に応じてインクジェットヘッドの駆動電圧、駆動周波数、画像処理モードを変更する」事項は、出願当初の明細書に記載されていた事項であり、上記平成１２年１０月１０日付の手続き補正は、出願当初の明細書又は図面に記載した事項の範囲内でしたものと認められ、また、当該事項を特定事項とする本件発明１は、本件明細書の発明の詳細な説明に記載されていたものと認められる。
　ゆえに、上記主張ＡおよびＢは採用することができない。
　　
  イ．主張Ｃについて、
ａ．引用刊行物に記載された事項
  当審で通知した取消理由に引用した刊行物１ないし７には、本件発明１および２に関連する事項として、それぞれ、以下のような事項が記載されている。
　引用刊行物１（特開平３−６７６５７号公報＝申立人が提出した上記甲第１号証）
「使用されるインクに基づき記録ヘッドの駆動条件を制御するための情報を付与したインクカートリッジを提供する」（５頁右上欄１２〜１４行）
「前述の例では・・・駆動電圧、パルス幅、駆動周波数、予備吐出数をすべて変えうる様にした場合について説明したが・・・例えば駆動電圧のみ、パルス巾幅のみ、駆動周波数のみ、あるいはこれらの可能な組合せなどが設定される・・・指定する情報としてはこれらの他に予め記録ヘッドを加熱してインクの特性の改善を行う予備加熱の条件や記録時に最適な吐出が得られるようなインクの吐出条件あるいは、複数色のインクを用いて記録を行う場合のインクの吐出条件等をもたせることができる。」（７頁左下欄１７行〜右下欄１０行）
　引用刊行物２（特開平６−３４４５６４号公報＝同甲２号証）    
「インク吐出ヘッド、又はヘッドユニットを具備したカラーインクジェット記録装置においてブラックインク用ヘッドとカラーインク用ヘッドのフェイス面に撥インク性能の異なる撥インク処理層を形成したことを特徴とするカラーインクジェットヘッド。」（【請求項１】）、  
「耐水性、耐光性に優れたインクとして開発されているブラック顔料インクにおいて、従来一般に使用している染料インクとは物性が異なり、インク安定化の為の樹脂成分混入や、分散剤等を混在させている。」（段落【０００８】）
　引用刊行物３（特開平１−１３５８８０号公報＝同甲第３号証）
「インクの好ましい特性としては、・・・吐出条件（圧電素子の駆動電圧、駆動周波数、オリフィスの形状と材質、オリフィス径等）にマッチングした液物性（粘度、表面張力、電導度等）を有していること・・・等が挙げられる。」（１頁右下欄１３行〜２頁左上欄１２行）
　引用刊行物４（特開平７−１１２５４２号公報＝同甲第４号証）    
「感熱方式と熱転写方式および熱転写方式における顔料インクと染料インク等の使用メディアの種類や白黒とカラーインク等を検出する手段と、この検出手段の出力により動作するヘッド供給電力切換手段・メデイア搬送制御手段及び画像処理手段と、ヘッド押圧切換手段を有する。」（段落【０００６】）
　引用刊行物５（特開平７−１１７２２３号公報＝甲第５号証）          
「それぞれ同一色調で組成の異なるインクを吐出する複数のインクジェットヘッドを用い、該複数のインクジェットヘッドから、複数の繊維を含んだプリント媒体にインクを吐出してプリントを行うインクジェットプリント物の製造装置において、前記複数のインクジェットヘッドから吐出されるインクの、プリント媒体への打ち込み比率を、前記複数の繊維の含有率に応じて変化させる制御手段、を具えたことを特徴とするインクジェットプリント物の製造装置。（【請求項１１】）　
　引用刊行物６（特開平６−１７１２０８号公報＝同甲第６号証）  
「染料系インクの場合には、染料が被記録材に染着することにより発色するため、被記録材の表面状態が画像濃度に与える影響は小さいが、顔料系インクの場合には、顔料が被記録材の表面に凝集し、固着することにより発色するため、被記録材の表面状態が画像濃度に与える影響は大きい。」（段落【０００３】）
「そのため、顔料系インクは、被記録材の種類によっては、画像濃度が著しく劣化し、画像品位が損なわれるという不都合が生じていた。特に、オフィス等で一般に使用されるコピー用紙、ボンド紙等の普通紙はインクジェット用専用紙と異なり、紙の表面状態が一様でないために、顔料系インクの画像濃度が問題となっていた。（【０００４】）、    
「本発明は、インクにエネルギーを付与して吐出口からインク滴として吐出させて、該インク滴を被記録材上に着弾させて記録を行うインクジェット記録方法において、顔料系インクと、ｐＨを４以下に調製した染料系インクとを同一地点に着弾させることを特徴とするインクジェット記録方法である。」（段落【０００８】）
　引用刊行物７（特開平１−２１５５４７号公報＝同甲第７号証）
「被記録材上に記録を行う記録手段、前記被記録材の交換を検出する手段、前記検出手段の検出に応じ前記記録手段の記録濃度特性を制御可能とする手段とを有することを特徴とする記録装置。」（特許請求の範囲）、
「記録紙のにじみ率が大きくなると印字したドット径が大きくなるために濃度が高くなる。逆に、にじみ率が小さくなると印字したドット径が小さくなるために濃度が低くなる。かかるにじみ率に拘わらず印字された結果の濃度を一定するためのγ補正部１０９の補正特性を表す例を第３−１図に示す。１点波線を通常の補正特性としたとき、実線の様に補正特性を修正すると出力データが淡めになり、ドット径が基準より大きい場合はこの様に補正を行う。逆に点線の様に補正特性を修正すると出力データが濃いめになり、ドット径が基準より小さい場合はこの様に補正を行う。（２頁右下欄末行〜３頁左上欄１２行）                     
　ｂ．対比・判断
　本件発明１について、
　本件発明１と上記引用刊行物１ないし７に各記載された発明を対比する。
　引用刊行物１には、インクジェット記録装置において、使用するインクに応じて、駆動電圧、駆動周波数等を変更することが、引用刊行物２には、顔料インクと染料インクではその物性が異なっていること、引用刊行物３には、インクの好ましい特性として圧電素子の駆動電圧、駆動周波数等とマッチングした液物性（粘度、表面張力電導度等）をもっていることが、引用刊行物４には、熱転写方式の記録装置において、ヘッド供給電力切換手段および画像処理手段を有すること、引用刊行物５および７には、インクと被記録材相互の付着やにじみ態様に応じて、画像の処理形態を変更することが、引用刊行物６には、顔料系インクと染料系インクとでは、その被記録材への画像濃度に与える影響が異なること等がそれぞれ記載されているが、上記引用刊行物１ないし７のいずれにも、本件発明１の特定事項である、インクジェット記録装置において、「使用するインクの種類（染料インクと顔料インクの２種類）に応じてインクジェットの駆動電圧、駆動周波数、画像処理モードを変更するようにし」た点および「駆動電圧および駆動周波数を染料インクの使用時に顔料インクの使用時よりそれぞれ高く設定した」点について、記載も示唆もなく、また、これらの点は、当該技術分野において自明な技術的事項でもなく、さらに、上記引用刊行物１乃至７を相互に適用しても本件発明１に到達できるものでない。
　そして、本件発明１は、この点を特定事項とすることにより、本件明細書に記載された「インクの種類に対応した良好な駆動条件で吐出用素子を駆動することができ、安定的にインクを用紙に着弾させることができる。」という作用効果を奏するものと認められる。
　したがって、本件発明１は、上記引用刊行物１ないし７に記載されたものから、当業者が容易に発明をすることができたものとすることができない。
　本件発明２について、
　本件発明２は、本件発明１を引用し、その特定事項の全てを、その特定事項とするものであるから、本件発明１に対して述べたところの同様な理由で、当業者が容易に発明をすることができたものとすることができない。
　ゆえに、上記主張Ｃも採用することができない。
　　
（４）むすび
　以上のとおりであるから、特許異議申し立ての理由及び証拠方法によっては、本件請求項１および２に係る発明の特許を取り消すことができない。　また、他に本件請求項１および２に係る発明の特許を取り消すべき理由を発見しない。
　よって、結論のとおり決定する。
【異議決定日】
平成１４年７月２２日（２００２．７．２２）
【訂正の要旨】
訂正の要旨
　本件訂正は、、特許請求の範囲の減縮および明瞭でない記載の釈明を目的として、願書に添付した明細書の記載を下記のａ〜ｃのように訂正するものである（訂正箇所にアンダーラインを付した。）。
ア．訂正事項ａ
　特許請求の範囲を、
「【請求項１】染料インクと顔料インクの２種類のインクを使用
し、この使用するインクの種類に応じてインクジェットの駆動電圧、駆動周波数、画像処理モードを変更するようにした
駆動電圧および前記駆動周波数を染料インクの使用時に顔料インクの使用時よりそれぞれ高く設定した
　【請求項２】前記画像処理モードにおける画像処理条件の変更は、顔料インクの使用時に
使用する
この記録用紙に適した画像処理モードとなるように変更する
と訂正する（訂正箇所にアンダーラインを付した。以下同じ。）。
イ．訂正事項ｂ
　発明の詳細な説明における
「【課題を解決するための手段】前述した目的を達成するため・・・できる。」（段落【００２６】）
を、
「【課題を解決するための手段】
　前述した目的を達成するため請求項１に記載のインクジェット記録装置の特徴は、
インクジェットの駆動電圧および駆動周波数を染料インクの使用時に顔料インクの使用時よりそれぞれ高く設定した
と訂正する。
ウ．訂正事項ｃ
　発明の詳細な説明における
「また、請求項２に記載のインクジェット記録装置の特徴は、・・・ができる。」（段落【００２７】）
を、
「また、請求項２に記載のインクジェット記録装置の特徴は、前記画像処理モードにおける画像処理条件の変更は、顔料インクの使用時に
使用する
この記録用紙に適した画像処理モードとなるように変更すること
と訂正する。
（５４）【発明の名称】
インクジェット記録装置
（５７）【特許請求の範囲】
　【請求項１】　染料インクと顔料インクの２種類のインクを使用
し、この使用するインクの種類に応じてインクジェットヘッドの駆動電圧、駆動周波数、画像処理モードを変更するようにした
駆動電圧および前記駆動周波数を染料インクの使用時に顔料インクの使用時よりそれぞれ高く設定した
　【請求項２】　前記画像処理モードにおける画像処理条件の変更は、顔料インクの使用時に
使用する
この記録用紙に適した画像処理モードとなるように変更する
【発明の詳細な説明】
　【０００１】
　【発明の属する技術分野】
　本発明は、ノズルからインクを用紙に向けて吐出して印字を行うインクジェット記録装置に係り、特に、インクや用紙の種類に対応して記録条件を変更するようにしたインクジェット記録装置に関する。
　【０００２】
　【従来の技術】
　一般に、前述したインクジェット記録装置は、インクジェットヘッド内に、先端部をノズルに形成された複数のインク流路を配設し、このインク流路の外側にこのインク流路内のインクをノズルから吐出させる吐出用素子を配設するとともに、この吐出用素子に通電する通電制御手段を配設して構成されている。
　【０００３】
　そして、前記吐出用素子として電歪振動子を使用する場合は、前記インク流路の少なくとも一部の外周壁を可撓性材料により形成するとともに、この外周壁に電歪振動子を設け、通電制御手段により制御される所定の記録タイミングで電歪振動子に通電することによりインク流路の断面積を減少させて、インク流路内のインクをノズルから吐出して用紙に着弾せしめ、用紙上に記録を行うようになっている。
　【０００４】
　また、前記吐出用素子としてサーマルヘッドを使用する場合は、前記インク流路の外周壁にサーマルヘッドを設け、通電制御手段により制御される所定の記録タイミングでサーマルヘッドの特定の発熱素子に通電することにより通電された発熱素子を加熱して、インク流路内のインクを熱膨張せしめ、インク流路内のインクをノズルから吐出して用紙に着弾せしめ、用紙上に記録を行うようになっている。
　【０００５】
　まず、この種のインクジェット記録装置のうち電歪振動子を使用する従来のものを図４および図５により説明する。
　【０００６】
　図４に示すように、円筒形をなすプラテン１の前方には、プラテン１の軸方向と平行な方向に延在する１対のキャリッジ軸２，２が配設されており、これらのキャリッジ軸２に沿って往復動しうるキャリッジ３が配設されている。このキャリッジ３には、フルカラーの印字を行いうるインクジェットユニット４が搭載されている。
　【０００７】
　このインクジェットユニット４には、前記プラテン１に対向するようにフルカラー用の４色のインクにそれぞれ対応する４個のインクジェットヘッド５（図４参照）が配設されており、各インクジェットヘッド５は、前記プラテン１に対向するように縦方向に整列配置された複数のノズル６（図５参照）を有している。そして、これらのインクジェットヘッド５は、前記キャリッジ３に支持されているヘッド取付け台７に固定されている。
　【０００８】
　前記各インクジェットヘッド５の背部の前記キャリッジ３上には、このインクジェットヘッド５に設けられている各ノズル６と連通するバッファタンクとしての補助タンク８を内蔵したインレット９が配置されており、各インレット９には、前記キャリッジ３に着脱自在に搭載される対応する色のインクカートリッジ１０が連通されるようになっている。
　【０００９】
　前記プラテン１の一端の側方には、不使用時に前記各ノズル６を被覆してノズル６内のインクの乾燥を防止したり、ノズル６内に形成された気泡や、ノズル６内に詰まった異物を除去するために使用されるポンプユニット１１が配設されている。このポンプユニット１１は、前記キャリッジ３側に開口１２が形成されているケーシング１３を有しており、このケーシング１３の開口１２内には、前記インクジェットユニット４に接離する方向に可動とされているキャップ本体１４が配設されている。このキャップ本体１４は、前記インクジェットユニット４の各インクジェットヘッド５に対応して、各インクジェットヘッド５を被覆しうるように縦長に形成された複数の開口部１５を有しており、各開口部１５の内側には、ゴム製のライナ１６が張設されている。このライナ１６は、開口部１５の周縁の内側から外部に突出して前記各インクジェットヘッド５の外周に気密に圧接しうるようになっている。
　【００１０】
　また、前記インクジェットヘッド５は、図５に示すように、それぞれノズル６と連通され縦方向に整列配置されている複数のインク流路１７からなり、各インク流路１７には先端のノズル６からインクを吐出するための電歪振動子であるピエゾ素子１８が配設されている。
　【００１１】
　一方、ポンプユニット１１のキャップ本体１４の上部の前面には、ほぼ半球状の１個の突起１９が突設されており、この突起１９の頂部に連通している加圧用空気道路２０がキャップ本体１４の背部にまで到達するように形成され、この加圧用空気通路２０には、図示しないポンプのような加圧手段が接続されている。また、前記キャップ本体１４の各開口部１５内は連通路２２を通して図示しない大気開放弁に連通されている。さらに、前記キャップ本体１４の各開口部１５には、それぞれ廃液管２３が接続されている。各廃液管２３は、図示しないポンプのような吸引手段に接続されており、この吸引手段により各開口部１５から吸引されたインクは、廃液タンク（図示せず）に貯留されるようになっている。
　【００１２】
　他方、ヘッド取付け台７のポンプユニット１１との対向面の上部には、ポンプユニット１１がインクジェットユニット４を被覆したとき、前記突起１９がノズルタッチすることにより前記加圧用空気通路２０と連通される１個の加圧用空気通路２５が形成されており、この加圧用空気通路２５は、インクカートリッジ１０の数に対応する４本の分岐通路２６に分岐しており、各分岐通路２６の端部には、各インクカートリッジ１０の上部内と連通する空気パイプ２７が接続されている。
　【００１３】
　前述した従来のものによれば、記録時には、ポンプユニット１１のキャップ本体１４を退避させた状態において、インクジェットユニット４を搭載したキャリッジ３をプラテン１に沿って走行させつつ、所定の記録信号に基づいてインクジェットユニット４の記録に供されるノズル６のピエゾ素子１８に通電してピエゾ素子１８を駆動し、インクカートリッジ１０からインレット９を介してインク流路１７に供給される所望のインクをノズル６からプラテン１上の用紙に向けて噴射することにより、所望の記録を行うことができる。
　【００１４】
　ところで、前述したインクジェット記録装置においてインクに使用される着色材としては、大別して染料タイプと顔料タイプのものがあり、このうち染料タイプの着色材は、鮮やかさにおいて顔料タイプのものより優れているものの、水や光に弱いという欠点があり、一方、顔料タイプの着色材は、鮮やかさにおいて染料タイプのものより劣るものの、水や光に強いという利点がある。
　【００１５】
　また、用紙にもインクが滲みやすいものと滲みにくいものとがあり、滲みやすいものの方がインクが用紙上において拡散されやすいためインクが滲みやすい用紙はインクが滲みにくい用紙と比較してインク総量が少なくて済むが、この種の用紙の場合、インクが拡散されるためインクが滲みにくい用紙と比較して鮮やかさが劣ることになる。
　【００１６】
　このように、インクおよび用紙にはそれぞれ特性の異なるものがあるため、１台のインクジェット記録装置において異なる種類のインクや用紙を使用することができると、記録の条件をいろいろ設定してバラエティに富んだ記録を行うことができる。
　【００１７】
　【発明が解決しようとする課題】
　しかしながら、前述した従来のインクジェット記録装置においては、１種類のインクしか適用できなかった。
　【００１８】
　これは、インクの粘度や表面張力といった物性値を一定としても、使用する着色材の種類に応じてインクジェットヘッドを駆動する通電条件たる駆動電圧と駆動周波数の上限値が異なっていたためであり、着色材に対応した駆動電圧および駆動周波数でインクジェットヘッドを駆動しないとインクの飛ぶ方向が定まらず、良好な記録品質がえられないからであった。
　【００１９】
　また、用紙の種類についても、インクの滲みやすさなどにより印字品質が変化することになるため、使用するインクに適した特定の用紙しか使用できなかった。
　【００２０】
　表１は従来のインクジェット記録装置により染料タイプのインクを使用して各種用紙に印字を行った結果を示したものである。
　【００２１】
　表１によれば、染料タイプのインクを使用して標準の記録モードにより記録を行ったところ、ファインタイプ、バックプリントタイプ、布といったどの種の用紙にも良好な記録を行うことができた。
　【００２２】
　つぎに、表２は、従来のインクジェット記録装置により顔料タイプのインクを使用して各種用紙に印字を行った結果を示したものである。
　【００２３】
　表２によれば、顔料タイプのインクを使用して標準の記録モードにより記録を行ったところ、どの種の用紙にも良好な記録を行うことができなかった。これは、インクの種類を顔料タイプにしたにもかかわらず、染料タイプのインクの場合と同様の通電条件でインクジェットヘッドを駆動したため、インクの吐出される方向が定らなかったり、ノズルからインクが不吐出になったためである。
　【００２４】
　一方、用紙の種類との関係においては、ファインタイプの用紙を使用した場合は、用紙上のインク濃度の高い部位においてインクが用紙に吸収されなかった。また、バックプリントタイプの用紙を使用した場合は、黒色のインクが良好に用紙に吸収されてしまい、黒色のみ濃度が低くなった。さらに、布を用紙として使用した場合は、フルカラー記録に使用される４色のインクのいずれもが良好に用紙に吸収されてしまい、４色とも濃度が低くなった。
　【００２５】
　本発明は、このような点に鑑み、インクの種類や用紙の種類を考慮して常に良好な品質の記録を行うことができるインクジェット記録装置を提供することを目的とする。
　【００２６】
　【課題を解決するための手段】
　前述した目的を達成するため請求項１に記載のインクジェット記録装置の特徴は、
インクジェットヘッドの駆動電圧および駆動周波数を染料インクの使用時に顔料インクの使用時よりそれぞれ高く設定した
　【００２７】
　また、請求項２に記載のインクジェット記録装置の特徴は、前記画像処理モードにおける画像処理条件の変更は、顔料インクの使用時に
使用する
この記録用紙に適した画像処理モードとなるように変更する
　【００２８】
　【発明の実施の形態】
　図１および図２は本発明に係るインクジェット記録装置の実施の形態を示すものであり、この記録装置のハウジング３０内には、軸線が水平方向に延在し円筒形をなすプラテン１が回転自在に配設されている。このプラテン１の一端部には、図示しない従動プーリが支持されており、この従動プーリには、逆転可能な第１モータ３１により駆動されるベルト３２が巻回されている。したがって、この第１モータ３１の駆動によりプラテン１が用紙の正規の搬送方向あるいはこれと逆の方向に選択的に駆動されることになる。
　【００２９】
　前記プラテン１の背部となる前記ハウジング３０内には、前記プラテン１と平行な軸線を有する用紙ロール３３が装着されている。この用紙ロール３３は図２において反時計方向に回転することにより用紙たるロール紙３３ａが解き出されることになり、このロール紙３３ａは前記プラテン１の上側に巻回されることになる。
　【００３０】
　前記プラテン３に対向する位置の前記ハウジング２内には、前記プラテン１の軸線と平行にプラテン１に沿って往復動しうるインクジェットユニット４が配設されており、このインクジェットユニット４のキャリッジ３には、インクを吐出する複数のインクジェットヘッド（図示せず）がそれぞれ前記プラテン１に対向するように設けられている。前記インクジェットユニット４には駆動用ベルト３４が接続されており、この駆動用ベルト３４は、逆転可能な第２モータ３５により駆動される駆動プーリ３６の外周に巻回されている。したがって、前記第２モータ３５の駆動により前記インクジェットユニット４が、プラテン１の軸線に対し平行に配設されたキャリッジ軸２に案内されプラテン１に沿って往復動されることになる。なお、前記プラテン１の一端部の側方には、インクジェットユニッド４の各インクジェットヘッドのノズルを覆い回復動作を行なうためのポンプユニット１１が配設されており、また、このポンプユニット１１に隣接してノズルより排出された廃インクを収納するための廃液タンク３７が配設されている。
　【００３１】
　前記インクジェットユニット４のキャリッジ３の下面には透過型のフォトインタラプタ３８がキャリッジ３の前後方向に間隔を隔てて配設されており、そのあいだに薄板に記録分解能に相当する多数の小孔を形成してなるリニアエンコーダ３９が前記インクジェットユニット４の移動範囲の全域に沿って配設されている。
　【００３２】
　前記プラテン１およびインクジェットユニット４の下方には、記録後のロール紙３３ａを切断するそれぞれ長尺の固定刃４１および可動刃４２からなる切断部４０が配設されている。
　【００３３】
　前記ロール紙３３ａの正規の搬送方向において前記インクジェットユニット４より上流側の前記プラテン１に対向するようにプラテン１上のロール紙３３ａを検出する第１用紙検出器１９が配設されており、また、前記インクジェットユニット４と切断部４０との間には、この間を通過するロール紙３３ａを検出する第２用紙検出器４４が配設されている。前記両用紙検出器４３，４４ならびに前記両モータ３１，３５はそれぞれインクジェット記録装置の制御部４５と接続されており、各用紙検出器４３，４４からのロール紙３３ａに関する信号が制御部４５に入力されると、この制御部４５が入力された信号に対応して各モータ３１，３５を駆動するようになっている。
　【００３４】
　なお、図２において前記ハウジング３０の図示しない上部開口は開閉自在なカバー３０Ａにより閉鎖されるようになっている。
　【００３５】
　図３には前記制御部４５を含むインクジェット記録装置の制御ブロック図が示されている。
　【００３６】
　図３において、通電制御部をなすインクジェット記録装置全体の制御部４５は、図示しないコントロールパネルを有しているマザーボード４６と、このマザーボード４６を介して相互に接続されているＣＰＵボード４７、メカコントロールボード４８およびヘッドコントロールボード４９と、このヘッドコントロールボード４９に接続されているインク検出ボード５０およびヘッドドライブボード５１とにより構成されている。
　【００３７】
　前記ＣＰＵボード４７は、ＣＰＵ、ＲＯＭ、ＲＡＭなどを内蔵しており、このうちのＲＯＭにはプリンタの動作ならびに画像処理のプログラムが書き込まれている。また、前記ヘッドコントロールボード４９は、ＣＰＵボード４７のＣＰＵからの信号に応じて使用される用紙の種類を検出する用紙種類検出ユニット５２、前記ポンプユニット１１、前記インクジェットユニット４を移動させる前記第２モータ３５を駆動するＣＲユニット５３、ロール紙３３ａを搬送する前記第１モータ３１を駆動するＬＦユニット５４を制御するためにこれらの用紙種類検出ユニット５２、ポンプユニット１１、ＣＲユニット５３およびＬＦユニット５４と接続され、また、前記メカコントロールボード４８には、これらの用紙種類検出ユニット５２、ポンプユニット１１、ＣＲユニット５３およびＬＦユニット５４を駆動するためのドライバ（図示せず）が設けられている。さらに、メカコントロールボード４８は、前記廃液タンク３７および前記用紙種類検出ユニット５２からの信号を前記ＣＰＵボード４７のＣＰＵに伝達するようになっている。
　【００３８】
　また、前記ヘッドコントロールボード４９は、前記インクジェットユニッド４に設けられた前記インク検出ボード５０が検出したインクの残量検出信号を前記ＣＰＵボード４７のＣＰＵに伝達するとともに、このＣＰＵからの情報をもとにインクジェットヘッド４を駆動するための論理信号を前記ヘッドドライブボード５１に形成するようになっている。このヘッドドライブボード５１はこの論理信号をもとに前記インクジェットユニッド４内に設けられた各インクジェットヘッド５およびそれぞれのインクカートリッジ１０を駆動するための駆動信号を発生するようになっている。なお、インクの種類を変更するには、前記インクカートリッジ１０を交換して行うことになる。
　【００３９】
　さらに、前記ＣＲユニット５３には、前記インクジェットユニット４の移動速度を等速にするために前記第２モータ３５の回転数に対応する信号を前記ＣＰＵボード４７のＣＰＵに出力する前記リニアエンコーダ３９が前記第２モータ３５と並列に接続されている。
　【００４０】
　さらにまた、前記マザーボード４６には、このインクジェット記録装置をパソコン等に接続するためのインタフェースユニット（Ｉ／Ｆ）５６，５７が配設されている。
　【００４１】
　つぎに、前述したインクジェット記録装置の動作の流れについて本発明の要旨であるインクジェットヘッドの駆動条件と画像処理とを含めて説明する。
　【００４２】
　プリンタの電源をＯＮすると、ＣＰＵボード４７のＣＰＵは各ボート４８，４９，５０，５１および各ユニット４，１１，５２，５３，５４のイニシャライズ動作を行い、つぎに、用紙種類検出ユニット５２からの信号により使用されている用紙の種類、すなわちファインタイプ、バックプリントタイプ、布などのうちのいずれの用紙であるかの認識を行う。さらに、前記ＣＰＵは、ヘッドコントロールボード４９内に設けられた不揮発性メモリに設定情報として記憶されているインク種類についての情報から使用に供されているインクの種類、すなわち染料タイプ、顔料タイプなどのうちのいずれのインクであるかを認識する信号を受取る。そして、前記ＣＰＵは、検出されたインクや用紙の種類のデータを用いてＣＰＵボード２３のＲＯＭに書込まれているデータテーブルを参照して、インクの種類に適合したインクジェットヘッド５の駆動条件たる駆動電圧と駆動周波数を設定するとともに、用紙の種類に適合した画像処理モードを設定する。
　【００４３】
　インクの種類に適合した前記インクジェットヘッド５の駆動条件たる駆動電圧は、一例として染料タイプのインクを使用したときには８０Ｖ、顔料タイプのインクを使用したときには７０Ｖとされており、また、駆動周波数は、一例として染料タイプのインクを使用したときには３．０ＫＨｚ、顔料タイプのインクを使用したときには２．７ＫＨｚとされている。ところで、インクジェットヘッド５の駆動周波数を変更すると、インクジェットヘッド５からのインクの吐出に要する時間にも変化が生じるため、これに関連してインクジェットユニット４の移動速度を変化させなければならない。そこで、前記ＣＰＵは記録速度を決定するためのサーボ定数の決定を行う。
　【００４４】
　一方、前記用紙の種類に適合した画像処理モードを設定する。この画像処理モードには、ファインタイプの用紙に適合した専用画像処理Ａと、バックプリントタイプの用紙に適合した専用画像処理Ｂと、布からなる用紙に適合した専用画像処理Ｃとがある。
　【００４５】
　このうち専用画像処理Ａは、複数色のインクを重ねる場合に、面積当りの複数色の合計ドット数が多すぎてインク濃度が高くなりすぎてしまい、ファインタイプの用紙では、インクを吸収しきれなくなってしまうときに、インクジェットヘッド５から用紙に着弾させるドット数を間引いて用紙へのインクの吸収を良好に行えるようにするものである。
　【００４６】
　また、前記専用画像処理Ｂは、バックプリントタイプの用紙に適合した処理であり、用紙上の黒のみの濃度が低い場合に、黒インクのみで黒色の画像を形成するのではなく、黒インクで黒色の画像を形成した後に、この用紙の黒色の画像上にシアンインク、マゼンタインクおよびイエロインクを重ねて黒色となるように均等に、かつ前記黒インクの着弾数に対してある比率をもたせるようにしてインクジェットヘッド５から用紙に着弾させ、黒色の画像濃度を上げるようにするものである。
さらに、前記専用画像処理Ｃは、布のようなインクの滲みやすい用紙に適合した画像処理であり、用紙上においてすべてのインクの濃度が低い場合に、同一個所にすべての色のインクを２度打ちするものである。
　【００４７】
　このように用紙の種類に適合した画像処理を行うことにより、用紙の種類にかかわらず、良好な品質の印字を行うことができる。
　【００４８】
　このような状態において、インタフェースユニット５６を介して外部のパソコン等より記録の開始コマンドが送られてくると、ＣＰＵは、このインクジェット記録装置の過去の動作履歴を調べ、この過去の動作履歴に応じた記録開始処理を行う。
　【００４９】
　そして、切断部４０により用紙であるロール紙３３ａの切断が行われていた場合には、ロール紙３３ａの逆送を開始し、第２用紙検出器４４によって検出されるロール紙３３ａの先端位置に応じて逆送量を決定し、ロール紙３３ａをプリント開始位置にセットする。
　【００５０】
　記録の開始コマンドに続いて送られてくる画像、文字などの記録情報は、インクの種類と用紙の種類に応じた記録データに加工され、ＣＰＵボード４７に設けられているＲＡＭに蓄えられる。
　【００５１】
　つぎに、ＣＰＵボード４７のＣＰＵがＣＲユニット５３の第２モータ３５に通電し、かつ、リニアエンコーダ３９からの信号をもとにＣＰＵが前記通電を補正してサーボコントロールしてインクジェットユニット４の移動速度を一定化し、記録の品質を安定化する。
　【００５２】
　さらに、ＣＰＵボード４７のＲＡＭに記憶されている記録データは、前記リニアエンコーダ３９の信号に同期して、ヘッドコントロールボード４９およびヘッドドライブボード５１を介して各インクジェットヘッド５への駆動信号としてインクジェットユニット４に入力され、インクを各インクジェットヘッド５のノズルより吐出してロール紙３３ａ上に任意のドットを記録する。
　【００５３】
　そして、ロール紙３３ａへ記録を行った後には、切断部４０によりロール紙３３ａの後端を切断してロール紙３３ａから独立した１枚の用紙とし、この用紙を排出することにより１枚の用紙に対する記録が完了する。
　【００５４】
　表３は本実施の形態のインクジェット記録装置により染料タイプおよび顔料タイプの２種類のインクを使用してファインタイプ、バックプリントタイプ、布の３種類の用紙に印字を行った結果を示したものである。
　【００５５】
　表３によれば、染料タイプのインクを使用してインクジェットヘッド５の駆動条件を駆動電圧８０Ｖ、駆動周波数３．０ＫＨｚとして標準の画像処理モードにより記録を行ったところ、インクジェットヘッド５のノズルから吐出されたインクは直進して安定的に用紙に着弾し、ファインタイプ、バックプリントタイプ、布といったどの種の用紙にも良好な品質の記録を行うことができた。
　【００５６】
　一方、顔料タイプのインクを使用してインクジェットヘッド５の駆動条件を駆動電圧７０Ｖ、駆動周波数２．７ＫＨｚとしてファインタイプの用紙に前記専用画像処理モードＡにより記録を行ったところ、良好な品質の記録を行うことができた。また、顔料タイプのインクを使用してファインタイプの用紙に対するのと同様の駆動条件でインクジェットヘッド５を駆動し、バックプリントタイプの用紙には前記専用画像処理モードＢにより、さらに布には前記専用画像処理モードＣによりそれぞれ記録を行ったところ、いずれの場合も良好な品質の記録を行うことができた。
　【００５７】
　なお、本発明は前記実施の形態に限定されるものではなく、必要に応じて変更することができる。たとえば、インクの吐出用素子としては、実施の形態において説明した電歪振動子たるピエゾ素子のほかサーマルヘッドのようにインクを熱膨張させてノズルから吐出するようにしてもよい。
　【００５８】
　【発明の効果】
　以上説明したように本発明によれば、インクの種類や用紙の種類を考慮して常に良好な品質の記録を行うことができる。
【図面の簡単な説明】
　【図１】
　本発明のインクジェット記録装置の実施の形態を示す内部の斜視図
　【図２】
　図１のインクジェット記録装置の内部の側面図
　【図３】
　図１および図２のインクジェット記録装置のブロック図
　【図４】
　従来のインクジェット記録装置の要部の斜視図
　【図５】
　図４の縦断面図
　【符号の説明】
　１　プラテン
　３　キャリッジ
　４　インクジェットユニット
　５　インクジェットヘッド
　６　ノズル
　１１　ポンプユニット
　１７　インク流路
　１８　ピエゾ素子
　３０　ハウジング
　３１　第１モータ
　３３　用紙ロール
　３３ａ　ロール紙
　３５　第２モータ
　３９　リニアエンコーダ
　４０　切断部
　４３　第１用紙検出器
　４４　第２用紙検出器
　４５　制御部
　４６　マザーボード
　４７　ＣＰＵボード
　４８　メカコントロールボード
　４９　ヘッドコントロールボード
　５０　インク検出ボード
　５１　ヘッドドライブボード
　５２　用紙種類検出ユニット
　５３　ＣＲユニット
　５４　ＬＦユニット
　５５　インクジェットヘッド